(57)【特許請求の範囲】
【請求項１】
インターホン機器の前面を構成するパネルと、インターホン機器の少なくともスピーカ、マイク及び操作ボタンを組み付けて一体化したユニットとを有し、前記パネルの背面に前記ユニットを組み付けて壁面に設置して使用されるインターホン機器において、
前記ユニットは、前記操作ボタンを有するボタンユニットと、他の部材を組み付けたユニット本体とに分離可能であると共に、前記ボタンユニットには前記ユニット本体に連結する連結部が設けられ、
前記ユニット本体単体でも前記パネルに組み付け可能としたことを特徴とするインターホン機器。
【請求項２】
前記ボタンユニットは、前記操作ボタン及び接点部材を具備するボタン装置と、前記ボタン装置を保持する保持部及び前記連結部を備えたボタン枠とから成り、
前記ボタン装置は、前記保持部の背部から着脱が可能であり、前記ボタンユニットを前記ユニット本体に連結して前記パネルに組み付けた状態で、前記ユニットの背部から前記ボタン装置の着脱を実施できることを特徴とする請求項１記載のインターホン機器。
【請求項３】
前記ユニット本体は、前記ボタンユニットを係止するための係止突起を有し、
前記連結部が前記係止突起に外嵌して係合する筒状体であると共に、前記係止突起は連結された前記ボタンユニットの回転を防止する回転防止リブを有することを特徴とする請求項１又は２記載のインターホン機器。
【請求項４】
前記係止突起は、前記パネルに前記ユニット本体を固着するためのボルトを挿通する挿通孔を有し、前記ボタンユニットは、前記ボルトにより前記ユニット本体と共に共締めされて前記パネルに固定されることを特徴とする請求項３記載のインターホン機器。
【発明の詳細な説明】
【技術分野】
【０００１】
本発明はインターホン機器に関し、特に壁面に埋設された埋込ボックスに背部を収納して壁面に取り付ける構造のインターホン機器に関する。
【背景技術】
【０００２】
壁面に埋設された埋込ボックス（スイッチボックスとも称する）にて背部を収納して壁面に取り付ける構造のインターホン機器がある。背部を壁面に収納する構造は、配線が露出する事が無いしインターホン機器の露出部を薄く形成できるため普及している（例えば、特許文献１参照）。
このようなインターホン機器は、スピーカ孔、マイク孔、操作ボタン孔等が設けられた化粧パネルを前面に配置し、その背部にスピーカ、マイク、操作ボタン等を組み付けたユニットを装着して構成され、このユニットが埋込ボックスに収納されて壁面に取り付けられる。
【先行技術文献】
【特許文献】
【０００３】
【特許文献１】特開２００５−１３６７００号公報
【発明の概要】
【発明が解決しようとする課題】
【０００４】
上述したように、壁面に埋設する構成の従来のインターホン機器では、操作ボタンは他の部材と共に同一のケースであるユニットに組み付けられているため、操作ボタンを取り替えることが構造的に困難であった。
一方で、インターホン機器の１つである玄関等に設置されるインターホン子機の場合、、操作ボタンである呼出ボタンは外部に露出している部分であり、利用者によっては大きさや色を変更したいとの要望があった。また、呼出ボタンは、強打、結露などにより故障する場合があり、そのような場合はユニットを分解して交換するかユニット全体を交換する事になり、作業が面倒であったしコスト高となっていた。
【０００５】
そこで、本発明はこのような問題点に鑑み、複数の部材を組み込んで一体化したユニットから操作ボタンの着脱を容易とし、形状の異なる操作ボタンの組付けを可能とするインターホン機器を提供することを目的としている。
【課題を解決するための手段】
【０００６】
上記課題を解決する為に、請求項１の発明は、インターホン機器の前面を構成するパネルと、インターホン機器の少なくともスピーカ、マイク及び操作ボタンを組み付けて一体化したユニットとを有し、パネルの背面にユニットを組み付けて壁面に設置して使用されるインターホン機器において、ユニットは、操作ボタンを有するボタンユニットと、他の部材を組み付けたユニット本体とに分離可能であると共に、ボタンユニットにはユニット本体に連結する連結部が設けられ、ユニット本体単体でもパネルに組み付け可能としたことを特徴とする。
この構成によれば、ユニットからボタンユニットを分離できるため、ユニットを分解すること無く操作ボタンの交換を実施でき、操作ボタンに不具合が生じた場合は操作ボタンのみ容易に交換することが可能となる。また、利用者の好みや設置場所に合わせて操作ボタンの色を容易に変更できデザイン性に優れたインターホン機器を提供できる。
また、操作ボタンを備えたボタンユニット自体を取り外しできることで、ボタンユニットの装着空間全体を利用して異なる形状の操作ボタンを組み付けることも可能となり、操作ボタンの選択肢が広がり、使用環境に適した形状の操作ボタンに変更することも可能となる。
【０００７】
請求項２の発明は、請求項１に記載の構成において、ボタンユニットは、操作ボタン及び接点部材を具備するボタン装置と、ボタン装置を保持する保持部及び連結部を備えたボタン枠とから成り、ボタン装置は、保持部の背部から着脱が可能であり、ボタンユニットをユニット本体に連結してパネルに組み付けた状態で、ユニットの背部からボタン装置の着脱を実施できることを特徴とする。
この構成によれば、パネルからユニットを取り外すこと無くボタン装置の着脱ができ、容易に操作ボタンを交換できる。
【０００８】
請求項３の発明は、請求項１又は２に記載の構成において、ユニット本体は、ボタンユニットを係止するための係止突起を有し、連結部が係止突起に外嵌して係合する筒状体であると共に、係止突起は連結されたボタンユニットの回転を防止する回転防止リブを有することを特徴とする。
この構成によれば、係止突起を筒体に挿入することで、ボタンユニットの自由度は無くなり仮固定された状態となる。そのため、ユニット本体とボタンユニットを一体してパネルに取り付ける作業がし易い。
【０００９】
請求項４の発明は、請求項３に記載の構成において、係止突起は、パネルにユニット本体を固着するためのボルトを挿通する挿通孔を有し、ボタンユニットは、ボルトによりユニット本体と共に共締めされてパネルに固定されることを特徴とする。
この構成によれば、ユニット本体に仮固定したボタンユニットは、ユニット本体と共締めされてパネルに固定されるので、別途ボルト等で固着操作する必要が無く、取付操作が容易である。
【発明の効果】
【００１０】
本発明によれば、ユニットからボタンユニットを分離できるため、ユニットを分解すること無く操作ボタンの交換を実施でき、操作ボタンに不具合が生じた場合は操作ボタンのみ容易に交換することが可能となる。また、利用者の好みや設置場所に合わせて操作ボタンの色を容易に変更できデザイン性に優れたインターホン機器を提供できる。
また、操作ボタンを備えたボタンユニット自体を取り外しできることで、ボタンユニットの装着空間全体を利用して異なる形状の操作ボタンを組み付けることも可能となり、操作ボタンの選択肢が広がり、使用環境に適した形状の操作ボタンに変更することも可能となる。
【図面の簡単な説明】
【００１１】
【図１】本発明に係るインターホン機器の一例を示し、（ａ）は正面視斜視図、（ｂ）は背面視斜視図である。
【図２】図１のユニット単体を示し、（ａ）は斜視図、（ｂ）はボタンユニットを分離した斜視図である。
【図３】ユニットからボタン装置を取り外した状態を示す背面視斜視図である。
【図４】ユニットからボタン装置を取り外した状態を示す前面視斜視図である。
【図５】パネルにユニットを組み付ける様子を示す背面視斜視図である。
【発明を実施するための形態】
【００１２】
以下、本発明を具体化した実施の形態を、図面を参照して詳細に説明する。図１は本発明に係るインターホン機器の一例を示し、（ａ）は正面視斜視図、（ｂ）は背面視斜視図であり、玄関等に設置されるインターホン子機を示している。図１において、１はインターホン機器の前面を構成するパネル、２は構成部材を収容したユニットであり、パネル１背面にユニット２を装着して構成されている。このインターホン機器は、壁面に埋設された図示しない埋込ボックスにユニット２を収納して設置され、パネル１のみ露出して操作面が構成される。
【００１３】
パネル１には、ユニット２内に配置されたスピーカの音を報音するための報音孔１２、ユニット２内のマイクが集音するための集音孔１３、操作ボタンとしての呼出ボタン６が設けられるボタン孔１４、壁面に装着するためのネジ挿通孔１５等が設けられ、背面にはナットを螺入してユニット２を固定するためのスタッドボルト１６（図５に示す）が３ヵ所突設されている。ネジ挿通孔１５はパネル１の４箇所に設けられ、ネジを挿通して埋込ボックスにパネル１をネジ止めして、壁面に取り付けられる。尚、１７はパネル１の背面に周設された防水用のシール材である。
【００１４】
図２はユニット２を示し、（ａ）は斜視図、（ｂ）はボタンユニットを分離した斜視図である。ユニット２は、ユニット本体３とボタンユニット４とに分割形成されている。ユニット本体３は略四角形の箱体であり、マイク１９、スピーカ２０が組み込まれており、ボタンユニット４を組み付けるための空間であるボタンユニット収容部ＫがＬ字状に切り欠かれて形成されている。
【００１５】
また、周囲の３箇所にはパネル１に設けられたスタッドボルト１６を挿通する筒状のボルト挿通部３１が設けられている。そのうち１つのボルト挿通部３１は、ボタンユニット収容部Ｋの近傍に設けられ、ボタンユニット４を係止する係止突起３２を兼ねている。
係止突起３２は、ボタンユニット４の後述する連結部４２を外嵌するよう形成され、パネル１側となる前方に向けて窄み形成された円錐形状を成している。また、係止突起３２の側面には外嵌した連結部４２の回転を防止するための回転防止リブ３３が突設されている。
更に、ボタンユニット収容部Ｋには、装着されたボタンユニット４の移動を防止するための壁状のリブ３４が形成されている。
【００１６】
ボタンユニット４は、呼出ボタン６を備えたボタン装置８と、ボタン装置８を保持する保持部４１及びユニット本体３に連結する連結部４２を備えたボタン枠９とで構成されている。
図３，図４は、パネル１に組み付けたユニット２からボタン装置８を分離した状態のインターホン機器を示し、図３は背面視斜視図、図４は前面視斜視図である。図３に示すようにボタンユニット４の保持部４１は円筒状に形成され、直径方向の周囲２箇所にボタン装置８をネジ止めするためのネジ孔８２が設けられている。図１（ｂ）に示すようにボタン装置８は保持部４１に収容後、２つのネジ８１により固定される。
【００１７】
ボタン装置８は、円盤状の呼出ボタン６の背部に、コイルバネ８３を介して呼出ボタン６の操作信号を出力するための接点部材８４を備えた基板８５を備え、基板８５は箱状の接点箱８６に組み込まれている。接点箱８６は、蓋部材８６ａと底部材８６ｂとで構成され、保持部４１に組み付けるための装着片８７が底部材８６ｂに形成されている。
尚、接点部材８４にはリード線（図５に示す）１０が接続され、ボタンユニット４をユニット本体３に組み付ける際にユニット本体３の所定部位（端子）に接続される。
【００１８】
一方、ユニット本体３に連結する連結部４２は、図２（ｂ）に示すように筒状に形成され、内側には突起４３が形成されると共に、外側下部には回転防止リブ３３に嵌合するスリット４４が形成されている。この突起４３により、係止突起３２に外嵌した連結部４２は圧入操作を必要とし、スリット４４に回転防止リブ３３が嵌合することで回転が阻止される。この結果、ボタンユニット４はユニット本体３に仮固定された状態となる。
【００１９】
このように構成されたインターホン機器の組み立て、及び操作スイッチの取り外し操作の流れを次に説明する。図５はパネル１にユニット２を組み付ける様子を示す斜視説明図であり、この図に基づいて説明する。
先ず、ボタン装置８をボタン枠９に組み付けてネジ止めしてボタンユニット４を組み立てる。具体的に、接点箱８６に基板８５を収容してリード線１０を引き出し、呼出ボタン６を先端に配置したボタン装置８をボタン枠９に収納し、接点箱８６の装着片８７をボタン枠９の２箇所のネジ孔８２に合致させてネジ８１で固定する。
【００２０】
ボタンユニット４完成後は、図５に示すようにリード線１０をユニット本体３の所定の接続部位に接続し、ユニット本体３に装着する。
連結部４２をユニット本体３の係止突起３２上に配置すると共に、ボタンユニット収容部Ｋにボタン装置８を備えた保持部４１を配置し、係止突起３２を連結部４２に圧入する。この結果、ボタン装置８がボタンユニット収容部Ｋに収容され、連結部４２に設けた突起４３が係止突起３２に係合して、連結部４２は係止突起３２に密着する。同時に係止突起３２の回転防止リブ３３と連結部４２に設けたスリット４４が係合してボタンユニット４は回転が阻止される。更に、ボタンユニット収容部Ｋに設けたリブ３４がボタンユニット４の端部に係合する。この結果、ボタンユニット４はユニット本体３に安定した状態で仮固定される。
【００２１】
こうしてボタンユニット４をユニット本体３に仮固定して一体化したユニット２を、パネル１に組み付ける。パネル１の背面に設けられている３本のスタッドボルト１６を、ユニット２の対応するボルト挿通部３１に挿通する。この操作で、呼出ボタン６はパネル１のボタン孔１４から露出し、パネル１前面から操作が可能となる。
挿通したスタッドボルト１６は、ユニット２をパネル１に密着させることでユニット２の背部に露出する。こうして露出した３箇所のスタッドボルト１６にそれぞれ座金２２を介してナット２３を螺入して締め、ユニット２をパネル１に固定する。
この結果、ユニット本体３は３箇所がパネル１に固定されるし、ボタンユニット４の連結部４２は係止突起３２を介してユニット本体３と共にスタッドボルト１６で共締めされるため、ボタンユニット４もユニット本体３と共に堅牢に固定される。
【００２２】
尚、係止突起３２は、連結部４２が外嵌されなくてもスタッドボルト１６を挿通してナット２３で固定でき、ユニット本体３単体でもパネル１に良好に装着できる。
【００２３】
ユニット２をパネル１に組み付けた状態でボタン装置８のみ取り外す場合は以下のようである。ボタン装置８をボタン枠９に固定した２つのネジ８１を外すことで、図３に示すようにユニット２の背部からボタン装置８を抜き取ることができる。しかも抜き取ったボタン装置８は、呼出ボタン６と基板８５等が分離して取り出されるため、分解作業が必要無く部品の交換等がし易い。
尚、ボタンユニット４全体を交換する場合は、共締めされた１つのナット２３を取り外せば、ユニット２をパネル１に取り付けたままボタンユニット４を容易に取り外す事ができ、交換できる。
【００２４】
このように、ユニット２からボタンユニット４を分離できるため、ユニット２を分解すること無く呼出ボタン６の交換を実施でき、呼出ボタン６に不具合が生じた場合は呼出ボタン６のみ容易に交換することが可能となる。また、利用者の好みや設置場所に合わせて呼出ボタン６の色を容易に変更できデザイン性に優れたインターホン機器を提供できる。
また、呼出ボタン６を備えたボタンユニット４自体を取り外しできることで、ボタンユニット４の装着空間全体を利用して異なる形状の操作ボタンを組み付けることも可能となり、呼出ボタン６の選択肢が広がり、使用環境に適した形状の呼出ボタン６に変更することも可能となる。
また、係止突起３２を連結部４２に挿入することで、ボタンユニット４の自由度は無くなり仮固定された状態となるため、ユニット本体３とボタンユニット４を一体してパネル１に取り付ける作業がし易い。
更に、ユニット本体３に仮固定したボタンユニット４は、ユニット本体３と共締めされてパネル１に固定されるので、別途ボルト等で固着操作する必要が無く、取付操作が容易である。また、パネル１からユニット２を取り外すこと無くボタン装置８の着脱ができ、容易に呼出ボタン６を交換できる。
【００２５】
尚、上記実施形態は玄関等に設置されるインターホン子機を例に説明したが、呼び出しを受けて応答するインターホン親機に対しても適用できる。この場合、呼出ボタンが応答操作する通話ボタンとなるし、他に各種操作を行う操作ボタンを着脱可能に設けることも容易に実施できる。
【符号の説明】
【００２６】
１・・パネル、２・・ユニット、３・・ユニット本体、４・・ボタンユニット、６・・呼出ボタン（操作ボタン）、８・・ボタン装置、９・・ボタン枠、１６・・スタッドボルト（ボルト）、１９・・マイク、２０・・スピーカ、３１・・ボルト挿通部、３２・・係止突起、３３・・回転防止リブ、３４・・リブ、４１・・保持部、４２・・連結部、４３・・突起、４４・・スリット、８４・・接点部材。
【図１】
0005841832.tif 000002
【図２】
0005841832.tif 000003
【図３】
0005841832.tif 000004
【図４】
0005841832.tif 000005
【図５】
0005841832.tif 000006